(57)【特許請求の範囲】
【請求項１】
開閉可能に設けられた屋根板部を所定角度で開いた状態に維持させるための支持部材を備えたアップライト型鍵盤楽器であって、
前記支持部材を、前記屋根板部の近傍に設けられた支持軸を中心として所定の角度に回転移動することにより前記屋根板部を開いた状態に維持させる回転支持部材で構成するとともに、
前記回転支持部材が、前記支持軸から延びる直線に直交する平面からなり前記支持軸からの最短長さがそれぞれ異なるように設定された複数の支持面部を備え、前記複数の支持面部のうちの所定の支持面部で前記屋根板部を支持することにより前記屋根板部を複数の角度で開いた状態に維持できるようにし、
さらに、前記屋根板部の下面を鏡面にして、前記屋根板部が前記複数の角度のうちの所定角度で開いた状態のときに、楽器本体の内部が前記屋根板部の下面に反射して前記楽器本体の前側から見えるようにしたことを特徴とするアップライト型鍵盤楽器。
【発明の詳細な説明】
【技術分野】
【０００１】
本発明は、楽器本体の上面で開閉する屋根板部を備えたアップライト型鍵盤楽器に関する。
【背景技術】
【０００２】
従来から、グランドピアノやアップライトピアノ等の鍵盤楽器においては楽器本体の上面に設けられた屋根板部を開閉可能にして、演奏時にこの屋根板部を開けることにより楽音を外部に発散させて音量を増大させることが行われている（例えば、特許文献１参照）。すなわち、この鍵盤楽器は、屋根板部を下方から支持して開いた状態に維持する突上げ棒と、屋根板部が閉じるときの急な回転を抑制する緩衝装置を備えている。このため、この鍵盤楽器によると、屋根板部の開閉により音量調整が可能になるとともに、屋根板部の開閉操作の際に、屋根板部と楽器本体との間で指を挟むことが防止できる。
【特許文献１】特開平１１−３０５７６１号公報
【発明の開示】
【０００３】
しかしながら、前述した従来の鍵盤楽器、特にアップライトピアノ型の鍵盤楽器における屋根板部の開閉は、音量調整のためだけの目的で行われていた。例えば、グランドピアノ型の鍵盤楽器の場合には、屋根板部を開けた状態で演奏するとアクション部が備えるハンマの移動状態を見ることができ興趣に富むものとなるが、アップライトピアノ型の鍵盤楽器の場合には、このような効果を奏することはできなかった。
【０００４】
本発明は、前述した問題に対処するためになされたもので、その目的は、屋根板部を開けることにより音量調整だけでなく視覚的な効果も奏し得るアップライト型鍵盤楽器を提供することである。
【０００５】
前述した目的を達成するため、本発明にかかるアップライト型鍵盤楽器の構成上の特徴は、開閉可能に設けられた屋根板部を所定角度で開いた状態に維持させるための支持部材を備えたアップライト型鍵盤楽器であって、支持部材を、屋根板部の近傍に設けられた支持軸を中心として所定の角度に回転移動することにより屋根板部を開いた状態に維持させる回転支持部材で構成するとともに、回転支持部材が、支持軸から延びる直線に直交する平面からなり支持軸からの最短長さがそれぞれ異なるように設定された複数の支持面部を備え、複数の支持面部のうちの所定の支持面部で屋根板部を支持することにより屋根板部を複数の角度で開いた状態に維持できるようにし、さらに、屋根板部の下面を鏡面にして、屋根板部が複数の角度のうちの所定角度で開いた状態のときに、楽器本体の内部が屋根板部の下面に反射して楽器本体の前側から見えるようにしたことにある。
【０００６】
前述したように構成した本発明のアップライト型鍵盤楽器では、屋根板部の下面（裏面）が鏡面で構成されているため、演奏時に屋根板部を開けると、演奏者側から楽器本体の内部が屋根板部の下面に映って見える。このため、楽器本体内における屋根板部を介して反射可能な部分に、例えば、エンブレム等の装飾を施しておくと演奏中にこのエンブレムを見ることができる。また、アクション部が見える角度に屋根板部が開くようにすると、あたかもグランドピアノを演奏しているような感覚を楽しむことができる。
【０００７】
この場合、屋根板部の下面の鏡面は、屋根板部の下面に鏡を貼り付けることによって構成してもよいし、屋根板部の下面を鏡面仕上げすることによって構成してもよい。鏡面仕上げの場合には、木材で構成した屋根板部の下面に塗膜を形成し、この塗膜を鏡面仕上げしてもよいし、屋根板部を木材以外の材料で構成しその下面を鏡面仕上げしてもよい。また、屋根板部を開閉することによって音量調整ができることは言うまでもない。
【０００８】
また、本発明にかかるアップライト型鍵盤楽器では、支持部材を、屋根板部の近傍に設けられた支持軸を中心として所定の角度に回転移動することにより屋根板部を開いた状態に維持させる回転支持部材で構成している。これによると、屋根板部を持ち上げて回転支持部材を回すだけの操作で屋根板部の開閉が行えるため開閉操作が簡単である。
【０００９】
また、本発明にかかるアップライト型鍵盤楽器では、回転支持部材が、支持軸から延びる直線に直交する平面からなり支持軸からの最短長さがそれぞれ異なるように設定された複数の支持面部を備え、複数の支持面部のうちの所定の支持面部で屋根板部を支持することにより屋根板部を複数の角度で開いた状態に維持させて、楽器本体の内部における異なる部分が見えるようにしている。
【００１０】
これによると、回転支持部材の支持面部が、支持軸から延びる直線に直交する平面からなっているため、支持面部が屋根板部を支持する際には、支持面部の全面が屋根板部の下面に当たる。このため、回転支持部材は、屋根板部を安定させた状態で支持することができる。また、支持面部が複数設けられており、各支持面部における支持軸からの最短長さがそれぞれ異なるように設定されている。このため、支持面の数に応じて屋根板部が開く角度を複数の角度にすることができる。この結果、開かれた屋根板部の位置に応じてエンブレム等の装飾を見ながら演奏したり、アクション部の動きを見ながら演奏したりすることができる。
【発明を実施するための最良の形態】
【００１１】
（第１実施形態）
以下、本発明の一実施形態を図面を用いて説明する。図１は、同実施形態にかかるアップライト型鍵盤楽器Ｍを示している。このアップライト型鍵盤楽器Ｍは、楽器本体１０と、楽器本体１０から前方に突出した鍵盤部２０とで構成されている。楽器本体１０の外郭は、四角箱状に形成された枠体１１で構成され、鍵盤部２０の外郭は枠体１１の前面における上下方向の略中央から前方に向かって突出した四角箱状の枠体２１で構成されている。そして、楽器本体１０の上面は開閉可能な屋根板部１２で構成され、鍵盤部２０の上面は開閉可能な蓋部２２で構成されている。
【００１２】
枠体２１の内部には、複数の白鍵と黒鍵とからなる鍵盤２３が設けられている。また、枠体１１の内部には鍵盤２３の各鍵を押したときに、その押鍵操作に連動して駆動されるアクション部１３、アクション部１３が備えるハンマ１３ａの衝撃により振動する弦（図示せず）および弦の振動に応じて楽音を発生する響板（図示せず）等が設けられている。また、枠体１１の内部における後部側上端にはフレーム部１４が設けられその前面略中央にはエンブレム１４ａが設けられている。
【００１３】
屋根板部１２は、枠体１１に固定された屋根後部１２ａと、屋根後部１２ａの前端縁部にヒンジ連結されて開閉可能になった開閉部１２ｂとで構成されている。開閉部１２ｂの下面は、鏡面仕上げされて対象物を映し出せるようになっている。そして、枠体１１の一方の内側面における開閉部１２ｂの前後方向の中央部近傍に、支持軸１５が軸線を水平方向に向けて設けられ、その支持軸１５に、支持軸１５を中心として回転可能になった本発明の回転支持部材としてのトップサポート１６が取り付けられている。
【００１４】
トップサポート１６は、図２に示したように、側面が略Ｌ字状に形成された板体で構成されており、Ｌ字の角部に対応する部分の近傍に穴部１６ａが設けられている。また、Ｌ字の両端部に対応する部分には平面からなる支持面部１６ｂ，１６ｃが形成されている。穴部１６ａの中心点から延びて支持面部１６ｂに直交する線ａと支持面部１６ｂとの交点と、穴部１６ａの中心点との間の長さｌ1は、穴部１６ａの中心点から延びて支持面部１６ｃに直交する線ｂと支持面部１６ｃとの交点と、穴部１６ａの中心点との間の長さｌ2の略２倍に設定されている。そして、線aと線ｂとの角度は略６０度に設定されている。
【００１５】
また、支持面部１６ｂの両側部分の角側部分は曲面状に形成されており、図２における下側部分の半径は、上側部分の半径よりも大きく設定されて滑らかな曲面に形成されている。そして、支持面部１６ｂの上側部分の角部は、支持面部１６ｃの延長線上に位置するように設定されている。また、支持面部１６ｃの両側部分の角側部分も曲面状に形成されており、図２における左側部分の半径は、右側部分の半径よりも大きく設定されて滑らかな曲面に形成されている。
【００１６】
支持軸１５は、支持軸１５の中心点と枠体１１の前面上部壁１１ａの内面との間の最短長さが、支持軸１５の中心点と支持面部１６ｂとの間の最短長さ（ｌ1と等しい。）よりも短くなる位置に取り付けられている。したがって、図１の状態から、開閉部１２ｂを開けて、トップサポート１６を反時計回りに回転させていくと、最後には、図３に示したように、トップサポート１６の支持面部１６ｂ側部分が前面上部壁１１ａの上端部に当たり、それ以上回転できなくなる。このため、その状態では、開閉部１２ｂはトップサポート１６の位置よりも下方には移動できなくなり、前面上部壁１１ａの上端部との間に隙間が設けられた状態を維持する。
【００１７】
また、枠体１１の前面下部壁１１ｂの下端中央には、３個のペダル（１個しか図示せず。）を備えたペダル部１７が取り付けられ、前面下部壁１１ｂの下端両側には、鍵盤部２０を支持するための支持台１８が前方に向かって突出している。そして、支持台１８の前端上面と枠体２１の下面前端の両側部分との間に脚部１８ａが設けられて鍵盤部２０を支えている。また、枠体１１の下面後部の両側部分と支持台１８の下面前端部分にはそれぞれアップライト型鍵盤楽器Ｍを移動させるための車輪１９が取り付けられている。
【００１８】
鍵盤部２０の蓋部２２は、上面部２２ａと前面部２２ｂとからなる断面形状がＬ形の開閉蓋で構成され、上面部２２ａの下面には、譜面を置くための譜面板２４が設けられている。この譜面板２４は、上面部２２ａの下面にヒンジ連結されており、蓋部２２を閉じるときには上面部２２ａの下面に沿うように畳まれ、蓋部２２を開けて譜面を置くときには、図４および図５に示したように、開いた蓋部２２の上面部２２ａから前方に突出するように倒される。これによって、譜面板２４は略水平の状態になり、その状態での上面に譜面を置くことができる。
【００１９】
つぎに、このように構成したアップライト型鍵盤楽器Ｍを演奏する場合について説明する。まず、蓋部２２を開け、必要に応じて譜面板２４を倒してその上面に譜面を置く。そして、静かな音で演奏する場合には、屋根板部１２は閉じたままの状態にして、鍵盤２３の各鍵の演奏操作を行う。これによって、アップライト型鍵盤楽器Ｍから演奏曲の楽音が静かに発生される。
【００２０】
また、楽音を周囲に発散させながらやや大きな音で演奏する場合には、開閉部１２ｂの前端部を持ち上げて、トップサポート１６を図１における反時計回りに回転させ、支持面部１６ｃが上方に向くようにする。その状態で、開閉部１２ｂを下げてトップサポート１６に支持させる。これによって、開閉部１２ｂは、図４に示したように、小さな角度で開いた状態に維持される。
【００２１】
この場合、開閉部１２ｂの下面は、支持面部１６ｃの全面と支持面部１６ｂの上側部分の角部とに接触して、開閉部１２ｂの下面と、支持面部１６ｃと支持軸１５とを結ぶ線ｂとが直角になるため、開閉部１２ｂは、安定した静止状態になる。また、この状態では、演奏者の目２５の位置からは、開閉部１２ｂの下面を介してフレーム部１４に設けられたエンブレム１４ａが見える。このため、演奏者は、このエンブレム１４ａを見ながらアップライト型鍵盤楽器Ｍを演奏することができる。これによって、アップライト型鍵盤楽器Ｍからは、演奏曲の楽音がやや大きな音で周囲に発散される。
【００２２】
さらに、大きな楽音を周囲に発散させながら演奏する場合には、再度開閉部１２ｂの前端部を持ち上げて、トップサポート１６を図４における反時計回りに回転させ、支持面部１６ｂが上方に向くようにする。その状態で、開閉部１２ｂを下げてトップサポート１６に支持させる。これによって、開閉部１２ｂは、図５に示したように大きな角度で開いた状態に維持される。
【００２３】
この場合、開閉部１２ｂの下面は、支持面部１６ｂの全面に接触し、開閉部１２ｂの下面と、支持面部１６ｂと支持軸１５とを結ぶ線ａとが直角になるため、開閉部１２ｂは、安定した静止状態になる。また、演奏者の目２５の位置からは、開閉部１２ｂの下面を介してアクション部１３が見える。この場合、演奏者にはアクション部１３が水平方向に位置しているように見える。このため、演奏者は、このアクション部１３の動きを見ながらグランドピアノを演奏しているような感覚で演奏することができる。また、アップライト型鍵盤楽器Ｍからは、演奏曲の楽音が大きな迫力のある音で周囲に発散される。
【００２４】
そして、演奏終了後は、開閉部１２ｂの前端部を持ち上げて、トップサポート１６を図５における時計回りに回転させ、支持面部１６ｂが下方に向くようにする。その状態で、開閉部１２ｂを下げて閉じた状態にする。また、開閉部１２ｂの開閉操作の際に手が滑る等によって開閉部１２ｂが自重で落下しようとする場合には、図５の状態からトップサポート１６が反時計回りに回転すると、トップサポート１６は前面上部壁１１ａの上端部に当たって止まり、開閉部１２ｂは、そのトップサポート１６の上側に図３の状態になって止まる。
【００２５】
このため、前面上部壁１１ａの上端部と開閉部１２ｂとの間に指が挟まって怪我をすることが防止される。また、図５の状態からトップサポート１６が時計回りに回転すると、トップサポート１６と開閉部１２ｂとは、図４の状態になって止まる。このため、トップサポート１６がどちらの方向に回転しても前面上部壁１１ａの上端部と開閉部１２ｂとの間に指が挟まって怪我をすることが防止される。
【００２６】
このように、本実施形態に係るアップライト型鍵盤楽器Ｍでは、開閉部１２ｂの下面を鏡面にしているため、開閉部１２ｂを開けると、その角度に応じて演奏者側からは、楽器本体１０のエンブレム１４ａやアクション部１３が見える。このため、演奏者は、エンブレム１４ａを見ながら演奏したり、グランドピアノのような感覚で演奏したりすることができる。また、開閉部１２ｂの開閉によってアップライト型鍵盤楽器Ｍが発生する楽音の音量調整もできる。また、開閉部１２ｂを持ち上げてトップサポート１６を回すだけの操作で開閉部１２ｂの開閉が行えるため操作が簡単である。
【００２７】
（第２実施形態）
また、図６は、本発明の第２実施形態に係るアップライト型鍵盤楽器が備えるトップサポート２６を示している。このトップサポート２６は、図６に示した状態で、側面が横方向に長くなった５角形に形成された板体で構成されている。そして、穴部２６ａと、穴部２６ａからの長さがそれぞれ異なるようにして平面からなる支持面部２６ｂ，２６ｃ，２６ｄが形成されている。
【００２８】
穴部２６ａの中心点から延びて支持面部２６ｂに直交する線ｃと支持面部２６ｂとの交点と、穴部２６ａの中心点との間の長さｌ3は、穴部２６ａの中心点から延びて支持面部２６ｃに直交する線ｄと支持面部２６ｃとの交点と、穴部２６ａの中心点との間の長さｌ4の略３倍に設定されている。また、穴部２６ａの中心点から延びて支持面部２６ｄに直交する線ｅと支持面部２６ｄとの交点と、穴部２６ａの中心点との間の長さｌ5は、長さｌ3の略半分に設定されている。そして、線ｃと線ｄとの角度は略８０度に設定され、線ｄと線ｅとの角度は略７０度に設定されている。
【００２９】
このトップサポート２６を備えたアップライト型鍵盤楽器のそれ以外の部分の構成については、前述した実施形態のアップライト型鍵盤楽器Ｍと同一である。このアップライト型鍵盤楽器では、開閉部が開く角度を３段階で変更できるため、演奏者の体格によって目２５の高さが変わっても開閉部の角度を楽器本体の内部を見るための適正な状態にすることができる。本実施形態に係るアップライト型鍵盤楽器のそれ以外の作用効果は、前述したアップライト型鍵盤楽器Ｍと同様である。
【００３０】
また、本発明に係るアップライト型鍵盤楽器は、前述した実施形態に限定するものでなく、適宜、変更実施が可能である。例えば、前述した実施形態では、開閉部１２ｂ等の下面を鏡面仕上げすることにより楽器本体１０等の内部を見ることができるようにしているが、これに代えて開閉部１２ｂ等の下面に鏡を貼り付けてもよい。この場合、鏡は開閉部１２ｂ等の下面の中央部だけに貼り付けることもできる。
【００３１】
また、開閉部１２ｂ等の下面を鏡面仕上げする場合には、開閉部１２ｂ等を木材で構成しその下面に塗膜を形成し、この塗膜を鏡面仕上げしてもよいし、開閉部１２ｂ等を木材以外の材料で構成しその下面を鏡面仕上げしてもよい。また、支持部材としては、トップサポート１６，２６の形状に限らず他の形状にすることができる。例えば、支持面部を１個だけ備えたものでもよいし、３個以上の複数個備えたものでもよい。さらに、支持部材としては回転可能に取り付けた支持部材に限らず、開閉部１２ｂ等の下面を支える棒状の支持部材であってもよい。
【００３２】
また、前述した実施形態では、図３に示した状態を、開閉部１２ｂが倒れたときの指詰め防止の状態としたが、この状態も開閉部１２ｂが開く角度の一態様に加えることができる。これによると、アップライト型鍵盤楽器Ｍでは、開閉部１２ｂは３段階の角度で開くようになり、トップサポート２６を備えたアップライト型鍵盤楽器では、開閉部は４段階の角度で開くようになる。これによって、開閉部１２ｂが開く角度をさらに多くの角度に設定することができ、その角度に応じて鏡面に映る部分を変えたり、音量や音色を変更したりすることもできる。
【００３３】
また、屋根板部１２の開閉部１２ｂの大きさを大きく設定して鏡面に映る範囲を広くすることもできる。さらに、前述した実施形態では、フレーム部１４にエンブレム１４ａを設けているが、エンブレム１４ａ以外の装飾を施すことができる。例えば、星や宝石等の輝きを発する部材を取り付けたり、絵模様等を施したりすることができる。これによって、視覚的に興趣が富むものとなり、演奏が楽しくなる。また、本発明に係るアップライト型鍵盤楽器はアコースティックの楽器に限らず、アップライト型の電子鍵盤楽器も含むものである。
【図面の簡単な説明】
【００３４】
【図１】本発明の第１実施形態に係るアップライト型鍵盤楽器の側面を示す断面図である。
【図２】図１に示したアップライト型鍵盤楽器が備えるトップサポートの側面図である。
【図３】トップサポートを指詰め防止位置まで回した状態のアップライト型鍵盤楽器の側面を示す断面図である。
【図４】開閉部を少し開けた状態のアップライト型鍵盤楽器の側面を示す断面図である。
【図５】開閉部を大きく開けた状態のアップライト型鍵盤楽器の側面を示す断面図である。
【図６】本発明の第２実施形態に係るアップライト型鍵盤楽器が備えるトップサポートの側面図である。
【符号の説明】
【００３５】
１０…楽器本体、１２…屋根板部、１２ａ…屋根後部、１２ｂ…開閉部、１３…アクション部、１４ａ…エンブレム、１５…支持軸、１６，２６…トップサポート、１６ａ，２６ａ…穴部、１６ｂ，１６ｃ，２６ｂ，２６ｃ，２６ｄ…支持面部、２０…鍵盤部、２３…鍵盤、２５…目、Ｍ…アップライト型鍵盤楽器
【図１】
0004635464.tif 000002
【図２】
0004635464.tif 000003
【図３】
0004635464.tif 000004
【図４】
0004635464.tif 000005
【図５】
0004635464.tif 000006
【図６】
0004635464.tif 000007